(57)【要約】【課題】遊技媒体を遊技領域に案内する案内部を好適に保護することのできる遊技機を提供する。【解決手段】遊技枠と、遊技枠に取り付けられるとともに遊技領域が形成される遊技盤と、を備える遊技機において、上記遊技盤に、遊技領域に向けて遊技媒体を発射する発射装置から発射される遊技媒体を遊技領域に案内する案内部Ｇと、遊技盤に対する高さが案内部Ｇよりも高く設定され、案内部Ｇの保護のために設けられる保護部４０と、を設ける。【選択図】図６
2014155616.tif 000002
【特許請求の範囲】
【請求項１】
遊技枠と、
該遊技枠に取り付けられ、遊技領域が形成される遊技盤と、
を備える遊技機であって、
前記遊技盤は、
該遊技盤に立設され、前記遊技領域に向けて遊技媒体を発射する発射装置から発射される遊技媒体を前記遊技領域に案内する案内部と、
前記遊技盤に対する高さが前記案内部よりも高く設定され、該案内部の保護のために設けられる保護部と、を備えることを特徴とする遊技機。
【発明の詳細な説明】
【技術分野】
【０００１】
本発明は、遊技枠と、遊技枠に取り付けられるとともに遊技領域が形成される遊技盤と、を備える遊技機に関する。
【背景技術】
【０００２】
遊技機には、遊技枠と、遊技枠に取り付けられるとともに遊技領域が形成される遊技盤と、を備え、遊技盤が遊技枠に着脱可能とされる構成を採用したものがある。このような遊技機では、遊技枠を共通として異なる遊技盤の入れ替えを可能とし、新規の遊技機の入れ替えを容易にしたり、遊技機のメンテナンスが容易になったりする。
【０００３】
上記のような遊技機における遊技盤には、遊技盤に立設され、遊技領域に向けて遊技媒体を発射する発射装置から発射される遊技媒体を遊技領域に案内する案内部が通常設けられている。このような案内部は、比較的板厚の薄い金属製の板材から構成されるものが多く、比較的変形などし易いため、遊技盤の入れ替えや遊技機のメンテナンスの際に周辺の部材と干渉しないように対策しておくことが望ましい。より具体的に説明すると、例えば、遊技盤を取り外した際には、遊技盤を壁などに立てかけておく場合があり、この際、壁に案内部が干渉して、傷がついたり変形してしまったりすることがあり、保護することが望ましい。
【０００４】
従来は、レールから構成される案内部によって怪我をしてしまうことを防止するために、案内部の始端部分を装飾部材で覆うものなどが知られている（特許文献１参照）。
【先行技術文献】
【特許文献】
【０００５】
【特許文献１】特開２００３−９３６１４号公報
【発明の概要】
【発明が解決しようとする課題】
【０００６】
特許文献１に開示される遊技機では、装飾部材が怪我防止を主目的として設けられるものであるが、結果として装飾部材によって案内部の始端部分を保護できる。しかしながら、装飾部材が損傷してしまった場合には、装飾部材全体を交換せざるを得ない場合があり、案内部の保護部材としては、必ずしも好適に機能しているとは言えない点がある。
【０００７】
本発明はかかる実情に鑑みてなされたものであり、遊技媒体を遊技領域に案内する案内部を好適に保護することのできる遊技機を提供することを目的とする。
【課題を解決するための手段】
【０００８】
上記課題の解決手段として、本発明の遊技機は、遊技枠と、該遊技枠に取り付けられ、遊技領域が形成される遊技盤と、を備える遊技機であって、前記遊技盤は、該遊技盤に立設され、前記遊技領域に向けて遊技媒体を発射する発射装置から発射される遊技媒体を前記遊技領域に案内する案内部と、前記遊技盤に対する高さが前記案内部よりも高く設定され、該案内部の保護のために設けられる保護部と、を備えることを特徴とする。
【０００９】
この発明では、遊技盤の盤面に直交する高さ方向で保護部が案内部よりも突出するため、遊技盤上の案内部に近づこうとするものを案内部よりも先に保護部に干渉させ易くできる。これにより、案内部を好適に保護することができる。
【００１０】
本発明の手段１に係る遊技機は、請求項１に記載の遊技機であって、前記保護部は、前記案内部の前記発射装置側に位置する始端の近傍に設けられることを特徴とする。
この場合、案内部における発射装置に近い側の部位を特に好適に保護でき、遊技媒体の発射が上手く行えなくなってしまうことを防止できる。
【００１１】
本発明の手段２に係る遊技機は、請求項１または手段１に記載の遊技機であって、前記保護部は、前記遊技盤の盤面方向において前記案内部よりも外側の位置に設けられることを特徴とする。
【００１２】
本発明では、案内部の保護の典型的な態様として、遊技盤を立てかけるときに、案内部よりも先に保護部が立てかけ面に当接し易くなることで、案内部を保護できるのであるが、手段２のように、保護部が遊技盤の盤面方向において案内部よりも外側の位置に設けられる場合は、立てかけ時において案内部を保護するために確保するべき保護部の高さを、保護部が遊技盤の盤面方向において案内部よりも内側の位置に設けられる場合に比べて抑えることができるため、設計上の負荷を軽減できる。換言すれば、保護部によって必要以上に設計自由度が制約されるのを抑制できる。
【００１３】
本発明の手段３に係る遊技機は、請求項１または手段１または手段２に記載の遊技機であって、前記案内部は、前記遊技盤の輪郭を形成する複数の辺部に跨って該複数の辺部の近傍で該複数の辺部に沿うように湾曲して設けられ、前記案内部が前記複数の辺部に対向する各部位において、対向する前記辺部に最も接近する位置の近傍に、前記保護部が設けられることを特徴とする。
【００１４】
この場合、複数の立てかけ方向で、案内部よりも先に保護部を立てかけ面に当接させ易くなることで、案内部を好適に保護できる。しかも、保護部は、案内部が複数の辺部に対向する各部位において、対向する辺部に最も接近する位置の近傍に設けられることで、保護部の高さを可及的に抑えて、保護部を立てかけ面に当接させ易くできる。
【図面の簡単な説明】
【００１５】
【図１】本発明の実施形態に係る遊技機の正面図である。
【図２】上記遊技機を構成する遊技枠のガラス扉枠及び下扉枠を開放させた状態の遊技機の斜視図である。
【図３】上記遊技機を構成する遊技盤の正面図である。
【図４】上記遊技盤の左側部下側の正面図である。
【図５】上記遊技盤の盤面方向に沿う図４の矢印Ａ方向から見た遊技盤の左側部下側の矢視図である。
【図６】上記遊技盤の左側部下側の斜視図である。
【図７】上記遊技盤を壁に立てかけた状態を示した図である。
【図８】上記遊技盤の左側部の上下方向中央領域の斜視図である。
【図９】上記遊技盤の上部の正面図である。
【図１０】上記遊技盤の上部の斜視図である。
【発明を実施するための形態】
【００１６】
以下、本発明の実施形態を図面に基づき説明する。
【００１７】
図１は、遊技機の一例であるパチンコ遊技機１の正面図である。なお、以下の説明で用いる図において、「上」、「下」、「左」、「右」はパチンコ遊技機１の方向を示している。また、パチンコ遊技機１の前後方向は、図１の紙面手前側を「前」とし、図１の紙面奥側を「後」とする。
【００１８】
パチンコ遊技機１は、縦長の矩形状に形成された遊技枠２と、遊技枠２に着脱可能に取り付けられた遊技盤３と、で主に構成されている。図２も参照し、遊技枠２は、遊技盤３を着脱可能に収容する収容部を有する縦長の方形枠状の台枠４と、台枠４の左側部前面側に、上下方向に沿って延びる軸線を軸中心として開閉可能に設けられたガラス扉枠５及び下扉枠６と、を備えている。
【００１９】
遊技盤３は、台枠４に前方から収容された状態で、図１に示すようにガラス扉枠５によって前方から覆われている。ガラス扉枠５には、遊技盤３に形成される遊技領域３Ａを前方から視認可能とする略円形状の透視窓５Ａ（図２参照）が設けられている。
【００２０】
遊技領域３Ａは略円形状の領域であり、遊技盤３の前面に立設されたガイドレール７などによって形成されている。遊技領域３Ａには、遊技媒体としての遊技球が、打球発射装置８から発射されて打ち込まれる。打球発射装置８は、台枠４の下部側に収容され、下扉枠６によって前方から覆われている。
【００２１】
下扉枠６の表面上部には、打球供給皿（上皿）９が設けられている。また、下扉枠６において、打球供給皿９の下部には、打球供給皿９に収容しきれない遊技球を貯留する余剰球受皿１０（下皿）や、打球を発射する打球操作ハンドル（操作ノブ）１１が設けられている。遊技者が操作ノブ１１を操作することで、打球発射装置８から遊技球が発射され、パチンコ遊技機１では、打球発射装置８から発射された遊技球が、遊技領域３Ａに打ち込まれることで遊技が行われる。
【００２２】
遊技領域３Ａの中央付近には、演出表示装置１２が設けられ、演出表示装置１２は、それぞれが演出用の飾り図柄（演出図柄）を可変表示する複数の可変表示部を有している。演出表示装置１２の下方には、第１始動入賞口１３ａを有する普通入賞球装置１４が設けられている。第１始動入賞口１３ａに入賞した遊技球は、遊技盤３の背面に導かれ、第１始動口スイッチ及び第１入賞確認スイッチ（図示略）によって検出される。また、第１始動入賞口１３ａを有する普通入賞球装置１４の下方には、遊技球が入賞可能な第２始動入賞口１３ｂを有する普通可変入賞球装置１５が設けられている。第２始動入賞口１３ｂに入賞した遊技球は、遊技盤３の背面に導かれ、第２始動口スイッチ及び第２入賞確認スイッチ（図示略）によって検出される。
【００２３】
普通可変入賞球装置１５は、ソレノイド（図示略）によって開状態とされる。普通可変入賞球装置１５が開状態になることによって、遊技球が第２始動入賞口１３ｂに入賞可能になり（始動入賞し易くなり）、遊技者にとって有利な状態になる。なお、普通可変入賞球装置１５が開状態になっている状態では、第１始動入賞口１３ａよりも、第２始動入賞口１３ｂに遊技球が入賞し易い。また、普通可変入賞球装置１５が閉状態になっている状態では、遊技球は第２始動入賞口１３ｂに基本的に入賞しないが、入賞はしづらいものの入賞することが可能な構成としてもよい。
【００２４】
パチンコ遊技機１では、第１始動入賞口１３ａ又は第２始動入賞口１３ｂへの入賞を契機に大当り抽選が行われ、大当りに当選した場合には、演出表示装置１２において飾り図柄を特定表示結果とすることで、遊技者に大当りである旨が報知される。また、演出表示装置１２では、大当り抽選中に飾り図柄を変動させるとともに、大当りに対する期待度に応じた演出などが行われる。
【００２５】
普通可変入賞球装置１５の下方には、特別可変入賞球装置２０が設けられている。特別可変入賞球装置２０は、大当りとなった場合に生起する特定遊技状態（大当り遊技状態）において、ソレノイド（図示略）によって、大入賞口２１を開放状態とする。遊技者は、大当り遊技状態において大入賞口２１に遊技球を入賞させることで多くの賞球が得られる。また、遊技領域３Ａの下端の左右方向中央の位置にはアウト口２２が設けられ、何ら入賞せずに流下した遊技球は、アウト口２２から排出されるようになっている。
【００２６】
図３は、遊技盤３の正面図を示しており、遊技盤３は、ベニヤ板などからなる矩形状のベース板３０を備え、ベース板３０の前面に、上記ガイドレール７が立設されるとともに、ガイドレール７を囲繞するようにしてガイドレール７を覆う補強枠部３１が設置されている。このパチンコ遊技機１では、ガイドレール７及び補強枠部３１によって遊技領域３Ａが形成される。遊技盤３は、上辺部３Ｕ、下辺部３Ｄ、左辺部３Ｌ、及び右辺部３Ｒによって、全体として正面視略矩形状の輪郭が形成されている。
【００２７】
ガイドレール７は、ベース板３０の下部左側から上方に湾曲して延び、ベース板３０の上部を通過した後、さらに下方に湾曲して延びてベース板３０上の上部右側（演出表示装置１２の上部右方）まで至る円弧状に形成された外レール７Ａと、外レール７Ａの内側（盤面中央側）で外レール７Ａに沿って、アウト口２２の左端から上方に湾曲して延びて演出表示装置１２の上部左方まで至る内レール７Ｂと、で構成されている（図１も参照のこと）。
【００２８】
外レール７Ａは、遊技盤３の輪郭を形成する複数の上記の辺部（３Ｄ，３Ｌ，３Ｕ）に跨って、これら複数の辺部の近傍で該複数の辺部に沿うように湾曲して設けられ、遊技領域３Ａの一部を形成している。また、内レール７Ｂは、外レール７Ａと協働して遊技球を遊技領域３Ａの上部まで案内する案内部Ｇを形成しており、換言すれば、外レール７Ａ及び内レール７Ｂが案内部Ｇを形成している。この案内部Ｇを通って、打球発射装置８から発射された遊技球が遊技領域３Ａに打ち込まれることになる。ここで、案内部Ｇの端部のうちの、一方である打球発射装置８に近い側の端部を始端Ｇ１と称する。
【００２９】
なお、外レール７Ａ及び内レール７Ｂは、板厚の薄い金属製の帯状の板材から形成されており、遊技盤３（ベース板３０）に対する高さ寸法は互いに同等に設定されている。
【００３０】
補強枠部３１は、それぞれ樹脂材料から形成された第１枠部材３２と、第２枠部材３３と、第３枠部材３４と、で構成されている。以下、正面視において遊技盤３（ベース板３０）の中央を基準として当該中央から盤面方向で離れる側を外側と呼ぶものとする。また、図３においては、説明便宜上、第１枠部材３２と、第２枠部材３３と、第３枠部材３４とにドットを付している。
【００３１】
第１枠部材３２は、外レール７Ａの外側においてベース板３０の下部左側から上方に湾曲して延びてベース板３０の上部左右方向略中央まで至る略半円の円弧状に形成され、第２枠部材３３は、外レール７Ａの外側において第１枠部材３２の上方側に位置する端部に連なって湾曲して下方に延びる略１／４円弧状に形成されている。また、第３枠部材３４は、第２枠部材３３の下方側に位置する端部に連なって下方に延びた後、左方に向けて屈曲してアウト口２２の下方を通り過ぎて内レール７Ｂの端部に連なるように形成されている。
ここで、外レール７Ａの上方側の端部は、第２枠部材３３の内周部の上下方向の略中央の位置まで至っており、外レール７Ａの上方側の端部よりも下方では、第２枠部材３３及び第３枠部材３４が略円弧状に連なり、遊技領域３Ａを形成している。すなわち、このパチンコ遊技機１では、外レール７Ａ、第２枠部材３３及び第３枠部材３４によって、略円形状の遊技領域３Ａが形成されている。
【００３２】
図１を参照し、第１枠部材３２、第２枠部材３３、及び第３枠部材３４はそれぞれ、前方側からみた場合に、ガラス扉枠５の枠部によって覆われて隠される部位となっている。
【００３３】
ベース板３０には、略中央に開口３５が形成され、アウト口２２の上方直近の位置には開口３６が形成されている。図３においては、演出表示装置１２や特別可変入賞球装置２０などの役物などを取り外した状態の遊技盤３を示しているが、演出表示装置１２は開口３５に一部を挿通させた状態でベース板３０に設置され、特別可変入賞球装置２０も同様に開口３６に一部を挿通させた状態でベース板３０に設置される。そして、演出表示装置１２や特別可変入賞球装置２０は、ベース板３０の裏面側に設置された演出制御基板などを含む変動表示制御ユニットなどの遊技に関連する遊技用部品が組み付けられる遊技盤ユニット３７に電気的に接続される。なお、ベース板３０には、開口３５，３６以外にも複数の開口が形成されるが、図３においては、説明便宜上、省略している。
【００３４】
図４は、遊技盤３の左側部下側の正面図であり、図５は、図４の矢印Ａ方向に見た同左側部下側の矢視図であり、図６は左側部下側の斜視図である。ここで、本実施形態のパチンコ遊技機１では、案内部Ｇ（外レール７Ａの一部及び内レール７Ｂ）の始端Ｇ１の近傍に、遊技盤３（ベース板３０）に対する高さ（盤面に直交する方向での高さ）が案内部Ｇよりも高く設定されることで、案内部Ｇを保護する保護部４０が設けられている。
【００３５】
本実施形態に係る保護部４０は、第１枠部材３２の下部に一体に形成されており、遊技盤３の盤面方向において案内部Ｇよりも外側の位置にある。図５、図６を参照し、第１枠部材３２の内周部の遊技盤３の盤面に直交する方向における先端縁（以下、前縁３２Ａと呼ぶ）は、図５の直線Ｌ１に示すように遊技盤３の盤面方向に略平行に延びており、その遊技盤３に対する高さ寸法は、案内部Ｇよりもわずかに高くなっている。この前縁３２Ａは、円弧状に連続して延びる壁状に形成されるものであり、案内部Ｇよりも高さ寸法が高くなっているのは、作業者などの手が案内部Ｇに干渉して怪我をするのを防止するためである。また、前縁３２Ａは、案内部Ｇよりも高さ寸法が高くなっていることで、案内部Ｇを衝撃などから保護する機能も有する。ここで、本実施形態に係る保護部４０は、第１枠部材３２の内周部の前縁３２Ａの下部に形成されて、当該前縁３２Ａよりも前方に向けて局所的に突出する部位のことであるが、このような保護部４０は、案内部Ｇの保護をより効果的に行うために設けられている。
【００３６】
図４を参照し、保護部４０は、案内部Ｇが上下方向で下辺部３Ｄに対向する部位において、最も下辺部３Ｄに接近する位置Ｐ１の近傍に設けられている。さらに詳しくは、保護部４０は、位置Ｐ１の左方において、当該位置Ｐ１に近接して設けられている。
【００３７】
ここで、図２を参照し、遊技盤３は遊技枠２に対して着脱可能であり、例えば、新規のパチンコ遊技機の入れ替えや、メンテナンスの作業のときには、同図に示すようにして遊技盤３を、遊技枠２に取り付けたり、遊技枠２から取り外したりする。そして、この際には、遊技盤３を壁に立てかけて保持しておくことがある。
【００３８】
ここで、図７を参照し、同図には、遊技盤３を上下反転させ、遊技盤３の上辺部３Ｕを支点（接地点）として、遊技盤３を壁Ｗに立てかけた状態が示されている。本実施形態のパチンコ遊技機１では、遊技盤３を壁Ｗに立てかける際に、同図に示すように、保護部４０が案内部Ｇよりも突出しているため、保護部４０が案内部Ｇよりも先に壁Ｗに当り易くなる。したがって、案内部Ｇを好適に保護することができる。なお、上記した保護部４０が形成されず、前縁３２Ａのみの場合であっても、遊技盤３を壁Ｗに立てかける際に、前縁３２Ａが案内部Ｇよりも先に壁Ｗに当り易くなるが、主に怪我防止の目的のもので、案内部Ｇよりもわずかに高いものであるため、撓みなどを考慮すると、場合によっては好適に案内部Ｇを保護できない場合は生じ得る。このため、本実施形態では、保護部４０を設けることで、確実に案内部Ｇを保護することを図っている。すなわち、本実施形態は、案内部Ｇを保護するものとして、第１枠部材３２の前縁３２Ａを第１の保護部として機能させ、保護部４０を第２の保護部として機能させ、案内部Ｇを効果的に保護できるようにしている。
【００３９】
以上に記載したように本実施形態のパチンコ遊技機１では、案内部Ｇを好適に保護することができる。また、本実施形態では、保護部４０が、案内部Ｇの始端Ｇ１の近傍に設けられるので、案内部Ｇにおける打球発射装置８に近い側の部位を特に好適に保護でき、遊技球の発射が上手く行えなくなってしまうことを防止できる。
【００４０】
また、保護部４０は、遊技盤３の盤面方向において案内部Ｇよりも外側の位置に設けられるので、立てかけ時に案内部Ｇを保護するために確保するべき保護部４０の高さを、保護部４０が遊技盤３の盤面方向において案内部Ｇよりも内側の位置に設けられる場合に比べて抑えることができるため、設計上の負荷を軽減できる。換言すれば、保護部４０によって必要以上に設計自由度が制約されるのを抑制できる。
具体的には、図７を参照し、保護部４０が図示されている位置よりも紙面下側であって、案内部Ｇよりも盤面方向で内側にある場合には、遊技盤３を図示例と同じ角度で傾けて壁Ｗに立てかけて、案内部Ｇよりも先に保護部が壁Ｗに当接するようにするには、図示の保護部４０よりも大きい高さ寸法が必要となり、保護部が大きくなってしまう。
このため、保護部４０を、遊技盤３の盤面方向において案内部Ｇよりも外側の位置に設けた場合には、高さが抑えられ、設計上の負荷を軽減できる。また、本実施形態では、保護部４０が、ガラス扉枠５によって覆われる装飾部材として機能しない第１枠部材３２に一体に形成され、外部から視認しづらくなっているため、外観性が損なわれることもなく、製造の手間も抑制できる。また、仮に保護部４０が万が一破損しても、保護部４０及びそれが設けられる第１枠部材３２は装飾部材としては機能しないため、遊技や演出に支障が生じない。
【００４１】
また、本実施形態では、保護部４０は、案内部Ｇが上下方向で下辺部３Ｄに対向する部位において、最も下辺部３Ｄに接近する位置Ｐ１の左方であって、当該位置Ｐ１に近接して設けられるが、遊技盤３の上辺部３Ｕを支点（接地点）として、遊技盤３を上下反転させた状態で、壁Ｗに立てかける場合、案内部Ｇにおいて上記位置Ｐ１が壁Ｗに最も早く当接しようとする。ここで、当該位置Ｐ１の近傍に保護部４０があるので、立てかけ時において案内部Ｇを好適に保護することができる。しかも、上述した保護部４０が遊技盤３の盤面方向において案内部Ｇよりも外側の位置に設けられる場合と同様の理由から、保護部４０の高さを可及的に抑えて立てかけ面に当接させ易くできる。
なお、本実施形態のように、保護部４０は、遊技盤３の盤面方向において案内部Ｇよりも外側の位置であって、かつ、上記位置Ｐ１に近接して設けられるのが好ましい。
【００４２】
以上、本発明の各実施形態について説明したが、本発明は上記実施形態に限定されるものではなく、本発明の趣旨を逸脱しない範囲において種々の変更を加えることが可能である。
【００４３】
例えば、図８には、遊技盤３の左側部の上下方向中央領域を前方側から斜めに向けてみた斜視図が示され、図９には、遊技盤３の上部の正面図が示され、図１０には、遊技盤３の上部を前方側から上方に向けてみた斜視図が示されている。
【００４４】
図８においては、説明便宜上、内レール７Ｂを省略して示しており、同図における、領域Ｒ１は、案内部Ｇ（外レール７Ａ）が左右方向で左辺部３Ｌに対向する部位において、左辺部３Ｌに最も接近する位置の近傍の領域を示している。この領域Ｒ１では、第１枠部材３２の前縁３２Ａが延びているため、前縁３２Ａが案内部Ｇよりも高くなり、案内部Ｇの保護部としても機能する。ここで、このような領域Ｒ１において前縁３２Ａにさらに上記保護部４０と同様の保護部を形成しても良く、この場合は、遊技盤３の右辺部３Ｒを支点（接地点）として、遊技盤３を壁に立てかける場合に、好適に案内部Ｇが保護される。
【００４５】
また、図９、図１０において、領域Ｒ２は、遊技領域３Ａ及び案内部Ｇを形成する外レール７Ａが上下方向で上辺部３Ｕに対向する部位において、上辺部３Ｕに最も接近する位置の近傍の領域を示している。この領域Ｒ２では、第２枠部材３３における内周部の前縁３３Ａが、図１０から明らかなように、第１枠部材３２の前縁３２Ａと同様、外レール７Ａよりも高くなっている。このため、前縁３３Ａが外レール７Ａの保護部としても機能する。ここで、このような領域Ｒ２において前縁３３Ａにさらに上記保護部４０と同様の保護部を形成しても良い。この場合は、遊技盤３の下辺部３Ｄを支点（接地点）として、遊技盤３を壁に立てかける場合に、好適に外レール７Ａが保護される。
【００４６】
また、上記実施形態では、保護部４０が第１枠部材３２に一体に形成される例を説明したが、保護部４０は、第１枠部材３２と別体のものでも良く、例えば、釘などであっても構わない。
【符号の説明】
【００４７】
１  パチンコ遊技機（遊技機）
２  遊技枠
３  遊技盤
３Ａ  遊技領域
３Ｕ  上辺部
３Ｄ  下辺部
３Ｌ  左辺部
３Ｒ  右辺部
７  ガイドレール（案内部）
７Ａ  外レール（案内部）
７Ｂ  内レール（案内部）
８  打球発射装置（発射装置）
４０  保護部
Ｇ  案内部
Ｇ１  始端
【図１】
2014155616.tif 000003
【図２】
2014155616.tif 000004
【図３】
2014155616.tif 000005
【図４】
2014155616.tif 000006
【図５】
2014155616.tif 000007
【図６】
2014155616.tif 000008
【図７】
2014155616.tif 000009
【図８】
2014155616.tif 000010
【図９】
2014155616.tif 000011
【図１０】
2014155616.tif 000012